(57)【要約】【課題】障子を建具枠に取り付ける際における気密材のめくれを防止でき、所定の気密性能を発揮できる建具を提供すること。【解決手段】建具である内窓１０は、障子３０と、窓枠２０と、上框側気密材４１を備える。窓枠２０は、障子３０に対して対向配置される上枠室外片部２１１を有する。上框側気密材４１は、障子３０に装着される基部と、基部から延出して上枠室外片部２１１に当接可能な当接片部４１７と、当接片部４１７の先端から基部側に延出しためくれ防止片部４１８とを有する。めくれ防止片部４１８の先端は自由端である。障子３０を窓枠２０に対して傾けて吊り込む際に当接片部４１７の先端が上枠室外片部２１１に当接した状態において、めくれ防止片部４１８は、その先端が上枠室外片部２１１と離間する構成とされる。【選択図】図５
2016069820.tif 000002
【特許請求の範囲】
【請求項１】
建具枠と、障子と、前記建具枠および前記障子間に設けられる気密材とを備え、
前記建具枠は、前記障子に対して対向配置される枠材片部を有し、
前記気密材は、前記障子に取り付けられる基部と、前記基部から延出して前記枠材片部に当接可能な当接片部と、前記当接片部の先端から前記基部側に延出しためくれ防止片部とを有し、
前記めくれ防止片部の先端は自由端であり、
前記障子を前記建具枠に対して傾けて吊り込む際に前記当接片部の先端が前記枠材片部に当接した状態において、前記めくれ防止片部は、その先端が前記枠材片部と離間する構成とされる
ことを特徴とする建具。
【請求項２】
請求項１に記載の建具において、
前記障子を前記建具枠に対して傾けて吊り込む際に前記当接片部の先端が前記枠材片部に当接した状態では、前記めくれ防止片部の前記枠材片部に対する角度αは０°よりも大きい
ことを特徴とする建具。
【請求項３】
請求項１または請求項２に記載の建具において、
前記障子を前記建具枠に対して傾けて吊り込む際における前記障子の前記枠材片部に対する最大傾斜角度をθ１とした場合、
前記当接片部の前記基部に対する傾斜角度θ２は、９０°からθ１を差し引いた角度以下であり、
前記めくれ防止片部の前記当接片部に対する傾斜角度θ３は、１８０°からθ１およびθ２を差し引いた角度よりも小さい
ことを特徴とする建具。
【請求項４】
請求項１から請求項３のいずれか一項に記載の建具において、
前記当接片部は円弧状に形成される
ことを特徴とする建具。
【請求項５】
請求項１から請求項４のいずれか一項に記載の建具において、
前記基部には、前記障子を前記建具枠へ取り付けた状態で前記当接片部の基部側内面を支持する突出部が形成される
ことを特徴とする建具。
【請求項６】
請求項１から請求項５のいずれか一項に記載の建具において、
前記建具は、前記建具枠に前記障子が固定された固定窓として構成され、
前記建具枠は、上枠、下枠および左右の縦枠を枠組みして構成され、
前記障子は、上框、下框および左右の縦框と面材とによって框組みして形成されているとともに、上下方向あるいは左右方向の一方から先に前記建具枠に吊り込み可能に構成され、
前記気密材は、前記上框および前記下框あるいは前記左右の縦框にそれぞれ装着され、
前記めくれ防止片部は、前記当接片部よりも上下方向あるいは左右方向の一方側に位置する
ことを特徴とする建具。
【発明の詳細な説明】
【技術分野】
【０００１】
本発明は、建物の壁の開口等に取り付けられる建具枠と、この建具枠に取り付けられる障子とを備える建具であって、建具枠に当接する気密材が障子に設けられた建具に関する。
【背景技術】
【０００２】
窓枠および障子を有する建具においては、窓枠と障子との間に気密材を設ける建具が知られている。
このような建具として、例えば、特許文献１では、窓枠と窓材と気密部材とを備えた引き違い窓が提案されている。この気密部材は、引き違い窓の窓材に取り付けられるものであり、窓材への取り付け側から延出されて、先端（自由端）側が窓枠に当接される弾性材料からなるシール部を有して構成されている。
【先行技術文献】
【特許文献】
【０００３】
【特許文献１】特開平１０−００２１６９号公報
【発明の概要】
【発明が解決しようとする課題】
【０００４】
特許文献１に記載の気密部材が装着された窓材を窓枠に対しケンドン式に吊り込む場合、先ず、窓材が窓枠に対し斜めに傾斜された状態で上框側から上枠に差し込まれ、次に、窓材が傾動されつつ上昇されて窓枠と平行とされ、最後に、下框側から下枠に落とし込まれる。
ところで、差し込み側の上框に装着された気密部材は、窓材への取り付け側から延出されて先端側が窓枠に当接される構成であるため、上框が傾斜された状態で上枠に差し込まれる際、気密部材のシール部の先端側は上枠に対し大きな当接角度をもって当接することとなる。このため、次に窓材が傾動されて上昇される際、気密部材のシール部の先端側は上枠の延出片部分に引きずられ、当該シール部がめくれてしまうおそれがある。シール部がめくれてしまうと、気密部材による所定の気密性能などを発揮することが困難である。また、窓材を窓枠に取り付けた後は、気密部材は窓材と窓枠との間に挟み込まれた状態となるため、このシール部のめくれの発生状態を確認することは容易ではない。従って、シール部がめくれたまま施工され、そのまま使用されるおそれがある。
【０００５】
本発明の目的は、障子を建具枠に取り付ける際における気密材のめくれを防止でき、所定の気密性能を発揮できる建具を提供することにある。
【課題を解決するための手段】
【０００６】
本発明の建具は、建具枠と、障子と、前記建具枠および前記障子間に設けられる気密材とを備え、前記建具枠は、前記障子に対して対向配置される枠材片部を有し、前記気密材は、前記障子に取り付けられる基部と、前記基部から延出して前記枠材片部に当接可能な当接片部と、前記当接片部の先端から前記基部側に延出しためくれ防止片部とを有し、前記めくれ防止片部の先端は自由端であり、前記障子を前記建具枠に対して傾けて吊り込む際に前記当接片部の先端が前記枠材片部に当接した状態において、前記めくれ防止片部は、その先端が前記枠材片部と離間する構成とされることを特徴とする。
【０００７】
本発明の建具によれば、気密材が、基部から延出して枠材片部に当接可能な当接片部と、当接片部の先端から基部側に延出しためくれ防止片部とを有し、めくれ防止片部の先端は、当接片部の先端が枠材片部に当接した状態で、枠材片部と離間するため、吊り込みにおいて当接片部の枠材片部への当接部分が当該枠材片部に引きずられてめくられようと変形しても、めくれ防止片部が枠材片部に当接して前述しためくれを防止できる。このため、気密材はめくれることなく所定通りに設置でき、所定の気密性能、遮音性能、水密性能を発揮できる。なお、気密材は、例えば、エアータイト材、ＡＴ材、シール材などによって構成される。
また、例えば、基部と、この基部と一体形成された環状延出片部とを有して構成される気密材では、環状延出片部の反発力が大きく、これを圧潰するために比較的強い力が必要とされる。このような気密材を備える建具と比べ、本発明の建具では、気密材のめくれ防止片部の先端が自由端であるため、障子を建具枠に対して傾けて吊り込む場合に枠材片部に当接して圧潰される気密材の反発力は、環状延出片部を有した気密材を使用した場合の反発力よりも小さくできる。これにより、小さな力で障子を建具枠に吊り込むことができ、作業性の向上を図れる。
【０００８】
本発明の建具では、前記障子を前記建具枠に対して傾けて吊り込む際に前記当接片部の先端が前記枠材片部に当接した状態では、前記めくれ防止片部の前記枠材片部に対する角度αは０°よりも大きいことが好ましい。
このような構成によれば、障子を建具枠に対して傾けて吊り込み、当接片部の先端を枠材片部に当接させた状態としても、めくれ防止片部の枠材片部に対する角度αが０°よりも大きいので、めくれ防止片部の先端が枠材片部と離間した状態を維持できる。これにより、めくれ防止片部の先端が枠材片部に引きずられ、めくれ防止片部自体がめくれるように変形することがない。また、吊り込みにおいて当接片部の枠材片部への当接部分が当該枠材片部に引きずられてめくられようと弾性変形したときだけ、めくれ防止片部が枠材片部に当接して当接片部のめくれを防止できる。
【０００９】
本発明の建具では、前記障子を前記建具枠に対して傾けて吊り込む際における前記障子の前記枠材片部に対する最大傾斜角度をθ１とした場合、前記当接片部の前記基部に対する傾斜角度θ２は、９０°からθ１を差し引いた角度以下であり、前記めくれ防止片部の前記当接片部に対する傾斜角度θ３は、１８０°からθ１およびθ２を差し引いた角度よりも小さいことが好ましい。
このような構成によれば、障子を建具枠に吊り込む際に障子を建具枠に対し傾斜させても、枠材片部に対する当接片部の傾斜角度が鈍角とはならず、さらに、めくれ防止片部の先端が当接片部の枠材片部への当接部分よりも室外側に位置することもない。このため、めくれ防止片部の先端は枠材片部から離間した状態となり、当該先端が枠材片部に引きずられ、めくれ防止片部自体がめくれるように変形することがない。また、吊り込みにおいて当接片部の枠材片部への当接部分が当該枠材片部に引きずられてめくられようと弾性変形したときだけ、めくれ防止片部が枠材片部に当接して当接片部のめくれを防止できる。
【００１０】
本発明の建具では、前記当接片部は円弧状に形成されることが好ましい。
このような構成によれば、当接片部を円弧状に形成することで、当接片部の枠材片部への接触が点接触となって当接領域が小さくなる。これにより、吊り込み時に当接片部が枠材片部に引きずれられ難い状態となり、当接片部のめくれをより確実に防止できる。また、当接片部を円弧状に形成することで、反り返り変形しにくくめくれを生じ難い構造にできる。
【００１１】
本発明の建具では、前記基部には、前記障子を前記建具枠へ取り付けた状態で前記当接片部の基部側内面を支持する突出部が形成されることが好ましい。
このような構成によれば、めくれ防止片部の先端を自由端として気密材の反発力を小さくしても、障子が枠材片部に接近することで当接片部が大きく曲げられた状態では、突出部で当接片部の基部側内面を支持して気密材の反発力を大きくできる。従って、障子を建具枠に吊り込む際の気密材の反発力を抑えて作業性を向上できるとともに、吊り込み後には、気密材の反発力を大きくして所定の気密性能、遮音性能、水密性能を維持できる。
【００１２】
本発明の建具では、前記建具は、前記建具枠に前記障子が固定された固定窓として構成され、前記建具枠は、上枠、下枠および左右の縦枠を枠組みして構成され、前記障子は、上框、下框および左右の縦框と面材とによって框組みして形成されているとともに、上下方向あるいは左右方向の一方から先に前記建具枠に吊り込み可能に構成され、前記気密材は、前記上框および前記下框あるいは前記左右の縦框にそれぞれ装着され、前記めくれ防止片部は、前記当接片部よりも上下方向あるいは左右方向の一方側に位置することが好ましい。
このような構成によれば、障子を上下方向の一方に上框が位置する場合であって当該上框から先に建具枠に吊り込む場合には、上框に装着された気密材が建具枠の枠材片部に引きずられて当接片部がめくれることを上下方向の一方側に位置するめくれ防止片部によって防止できる。また、障子を上下方向の一方に下框が位置する場合であって当該下框から先に建具枠に吊り込む場合には、下框に装着された気密材が建具枠の枠材片部に引きずられて当接片部がめくれることを上下方向の一方側に位置するめくれ防止片部によって防止できる。
さらに、障子を左右方向の一方に左側の縦框が位置する場合であって当該縦框から先に建具枠に吊り込む場合には、左側の縦框に装着された気密材が建具枠の枠材片部に引きずられて当接片部がめくれることを左右方向の一方側（左側）に位置するめくれ防止片部によって防止できる。また、障子を左右方向の一方に右側の縦框が位置する場合であって当該縦框から先に建具枠に吊り込む場合には、右側の縦框に装着された気密材が建具枠の枠材片部に引きずられて当接片部がめくれることを左右方向の一方側（右側）に位置するめくれ防止片部によって防止できる。
【発明の効果】
【００１３】
本発明によれば、障子を建具枠に取り付ける際における気密材のめくれを防止でき、所定の気密性能を発揮できる建具を提供できる。
【図面の簡単な説明】
【００１４】
【図１】本発明の実施形態に係る建具である内窓を示す内観姿図。
【図２】前記実施形態に係る内窓を示す縦断面図。
【図３】前記実施形態に係る内窓を示す横断面図。
【図４】前記実施形態に係る内窓の気密材を示す説明図。
【図５】前記実施形態に係る内窓の要部を拡大して示す断面図。
【図６】前記実施形態に係る内窓の施工時の要部を拡大して示す断面図。
【図７】本発明の比較例に係る気密材がめくれた状態を示す説明図。
【図８】前記実施形態に係る内窓に使用可能な他の形態の気密材を示す説明図。
【発明を実施するための形態】
【００１５】
［本実施形態の構成］
以下、本発明の実施形態を図１〜６に基づいて説明する。
図１〜３において、本実施形態に係る建具である内窓１０は、既設窓である外窓２の内側に設けられた窓である。
本実施形態では、既設の外窓２は、ビル等の建物の開口部に配置されて建物の躯体に固定された二点鎖線で示す窓枠３と、窓枠３に押縁を用いて固定されるガラス板などの面材４とを備えた一般的な固定窓（はめ殺し窓、ＦＩＸ窓）である。
【００１６】
内窓１０は、建具枠である窓枠２０と、障子３０とを備えた固定窓（はめ殺し窓、ＦＩＸ窓）である。
【００１７】
窓枠２０は、外窓２の窓枠３にネジ２５で固定されている。窓枠２０は、アルミ製の押出形材製の上枠２１、下枠２２および左右の縦枠２３を四周枠組みして構成されている。
【００１８】
上枠２１は、図２に示すように、上枠室外片部２１１（枠材片部）と、上枠見込み片部２１２と、上枠室内片部２１３とを有して構成されている。上枠室外片部２１１の上端は上枠見込み片部２１２の室外端部と連続している。上枠見込み片部２１２の室内端部は上枠室内片部２１３の上端と連続している。
【００１９】
上枠見込み片部２１２には、シール材２１２Ａが装着されている。シール材２１２Ａは、断面円形のロープ状のシール材であり、上枠２１に形成された保持溝に圧入されている。シール材２１２Ａは、上枠２１を外窓２の窓枠３（上枠）にネジ２５で固定した際に窓枠３に密着して、内窓１０の気密性、遮音性および水密性を向上させている。
【００２０】
上枠室外片部２１１の見付け方向幅寸法（上下方向幅寸法）は、上枠室内片部２１３の見付け方向幅寸法（上下方向幅寸法）よりも長く形成されている。このため、上枠室外片部２１１の下端部は、上枠室内片部２１３の下端部よりも下方まで延長されている。
上枠室外片部２１１と上枠室内片部２１３とは、見込み方向に所定間隔隔てて互いに対向して配置されている。上枠室外片部２１１および上枠室内片部２１３間の空間は、障子３０を窓枠２０にケンドン式に吊り込む際に上框３１が差し込まれる差し込み空間２１４として利用される。
【００２１】
下枠２２は、図２に示すように、下枠室外片部２２１と、下枠見込み片部２２２と、下枠室内片部２２３とを有して構成されている。下枠室外片部２２１の下端は下枠見込み片部２２２の室外端部と連続している。下枠見込み片部２２２の室内端部は下枠室内片部２２３の上下端間の中間部と連続している。
【００２２】
下枠見込み片部２２２には保持溝が形成され、この保持溝にはシール材２１２Ａと同様のシール材２２２Ａが圧入されている。シール材２２２Ａは、下枠２２を外窓２の窓枠３（下枠）にネジ２５で固定した際に窓枠３に密着して、内窓１０の気密性、遮音性および水密性能を向上させている。
【００２３】
下枠室外片部２２１の見付け方向幅寸法（上下方向幅寸法）は、下枠室内片部２２３の見付け方向幅寸法（上下方向幅寸法）よりも長く形成されている。このため、下枠室外片部２２１の上端部は、下枠室内片部２２３の上端部よりも上方まで延長されている。
下枠室外片部２２１と下枠室内片部２２３とは、見込み方向に所定間隔隔てて互いに対向して配置されている。下枠室外片部２２１および下枠室内片部２２３間の空間は、障子３０を窓枠２０にケンドン式に吊り込む際に下框３２が落とし込まれる落とし込み空間２２４として利用される。
【００２４】
左右の縦枠２３は、それぞれ、図３に示すように、縦枠室外片部２３１と、縦枠見込み片部２３２と、縦枠室内片部２３３とを有して構成されている。縦枠室外片部２３１の見付け方向外側の端部は縦枠見込み片部２３２の室外端部と連続している。縦枠見込み片部２３２の室内端部は縦枠室内片部２３３の見付け方向内側の端部側と連続している。
【００２５】
縦枠見込み片部２３２には保持溝が形成され、この保持溝にはシール材２１２Ａと同様のシール材２３２Ａが圧入されている。シール材２３２Ａは、縦枠２３を外窓２の窓枠３（縦枠）にネジ２５で固定した際に窓枠３に密着して、内窓１０の気密性、遮音性および水密性を向上させている。
【００２６】
縦枠室外片部２３１の見付け方向幅寸法（左右方向幅寸法）は、縦枠室内片部２３３の見付け方向幅寸法（左右方向幅寸法）よりも長く形成されている。このため、各縦枠２３の縦枠室外片部２３１の先端部は、縦枠室内片部２３３の先端部よりも対向する他の縦枠２３側に延長されている。
縦枠室外片部２３１と縦枠室内片部２３３とは、見込み方向に所定間隔隔てて互いに対向して配置されている。
【００２７】
なお、本実施形態では、上枠２１と、下枠２２と、縦枠２３とは、それぞれ断面形状および断面寸法が異なる押出形材で構成されている。すなわち、下枠室外片部２２１と縦枠室外片部２３１との見付け方向幅寸法は互いに等しいが、上枠室外片部２１１はこれらの見付け方向幅寸法よりも長く形成されている。
また、上枠室内片部２１３の見付け方向幅寸法は下枠室内片部２２３の見付け方向幅よりも長く、下枠室内片部２２３の見付け方向幅寸法は縦枠２３の縦枠室内片部２３３の見付け方向幅寸法よりも長くされている。
後述するように、上枠室外片部２１１、下枠室外片部２２１、縦枠室外片部２３１は、障子３０を窓枠２０内にケンドン式で組み込んだ際に、障子３０が外窓２側に脱落しないように障子３０の上框３１、下框３２、縦框３３の室外側に配置されている。そして、障子３０に取り付けられた気密材４０（エアータイト材、ＡＴ材、シール材）が上枠室外片部２１１、下枠室外片部２２１、縦枠室外片部２３１の室内面（当接面）に当接することで窓枠２０および障子３０間がシールされている。
また、上枠室外片部２１１、下枠室外片部２２１、縦枠室外片部２３１の前記見付け方向幅寸法は、障子３０を窓枠２０に組み込むことができるように設定されている。
さらに、縦枠２３の縦枠見込み片部２３２には、障子外れ止めネジ２３４が互いに対向する縦枠２３側に向かって取り付けられている。
【００２８】
障子３０は、図１〜図３に示すように、上框３１、下框３２および左右の縦框３３と面材であるガラスパネル３５とによって四周框組みして形成されている。上框３１、下框３２および左右の縦框３３には、気密材４０がそれぞれ装着されている。
気密材４０は、上框３１に取り付けられる上框側気密材４１と、下框３２に取り付けられる下框側気密材４２と、縦框３３に取り付けられる縦框側気密材４３とを備えている。
【００２９】
上框３１は、上框室外片部３１１と、上框見込み片部３１２と、上框室内片部３１３と、差し込み片部３１４と、ガスケット３１５とを有して構成されている。
【００３０】
上框室外片部３１１は、上框見込み片部３１２の室外端部と連続している。上框見込み片部３１２の室内端部は、上框室内片部３１３の上下端間の中間部に連続している。差し込み片部３１４は、上框見込み片部３１２の室外端部および室内端部間の中間部に連続している。上框室内片部３１３の上部および差し込み片部３１４は、上框見込み片部３１２の室外端部および室内端部から対応する枠に向う方向（上方）に延出して形成されている。上框室外片部３１１および上框室内片部３１３は、上框見込み片部３１２の室外端部および室内端部から、上框室内片部３１３の上部および差し込み片部３１４とは反対の方向（下方）に延出して形成されている。
【００３１】
図５に示すように、上框室外片部３１１の室外側には、上框側気密材４１が係合される係合溝３１１Ａが形成されている。係合溝３１１Ａは、上框室外片部３１１の室外側面から室外側に向かって延出し、かつ先端が互いに接近するように突出形成された一対の溝形成部３１１Ｂ，３１１Ｃによって形成されている。
【００３２】
ガスケット３１５は、上框室外片部３１１と上框見込み片部３１２と上框室内片部３１３とによって形成される空間に設けられている。ガスケット３１５は、断面Ｕ字状のゴム製ガスケットであり、ガラスパネル３５の上部を挟持している。
【００３３】
下框３２は、図２に示すように、下框室外片部３２１と、下框見込み片部３２２と、下框室内片部３２３と、差し込み片部３２４（落とし込み片部）と、ガスケット３２５とを有して構成されている。下框３２は、上框３１と上下反対に設置されているが同じ断面形状の押出形材で構成されている。このため、下框３２の各構成は、上框３１と同様であるため、詳細な説明を省略する。
なお、下框側気密材４２は、下框室外片部３２１の室外側に形成された係合溝３２１Ａに係合されている。
【００３４】
左右の縦框３３は、それぞれ、縦框見込み片部３３２と、縦框室内片部３３３と、見付け方向外側の縦框延出片部３３４と、ガスケット３３５とを有して構成されている。
【００３５】
縦框室外片部３３１の見付け方向外側の端部は、縦框見込み片部３３２と連続している。縦框見込み片部３３２の室外端部は、縦框延出片部３３４の見付け方向内側の端部と連続している。縦框見込み片部３３２の室内端部は、縦框室内片部３３３の両端部間の中間部と連続している。
【００３６】
縦框延出片部３３４の見付け方向外側の端部には室内側に延出した延出部３３４１が形成されている。
そして、縦框延出片部３３４および延出部３３４１には、障子３０を窓枠２０内にケンドン式で取り付けるために、障子３０を持ち上げた際に前記障子外れ止めネジ２３４が挿通可能な溝が形成されている。そして、障子３０を窓枠２０内に落とし込むと、前記延出部３３４１が障子外れ止めネジ２３４の室外側に配置される。これにより、障子３０の延出部３３４１が障子外れ止めネジ２３４に当接することで、障子３０が室内側に外れることを防止できる。
【００３７】
縦框室内片部３３３は、縦框延出片部３３４よりも外周側つまり外窓２の窓枠３側に延長されている。縦框室内片部３３３において、前記縦框延出片部３３４の延出部３３４１に対向する位置には、前記延出部３３４１に向かって室外側に延出された延出部３３３１が形成されている。
縦框室外片部３３１と縦框室内片部３３３の内側部分とは、見込み方向に所定間隔隔てて互いに対向して配置されている。
【００３８】
縦框室外片部３３１の室外側には、縦框側気密材４３が係合される係合溝３３１Ａが形成されている。係合溝３３１Ａは、係合溝３１１Ａと同様に形成されているので詳細な説明を省略する。
ガスケット３３５は、ガスケット３１５と同様に形成されており、縦框室外片部３３１と縦框見込み片部３３２と縦框室内片部３３３の内側部分とによって形成される空間に設けられている。ガスケット３３５は、ガラスパネル３５の側部を挟持している。
【００３９】
縦框３３には、縦框３３内部に配置される図示略のスライド部品を上下に移動する内窓固定用操作部品３６が取り付けられている。この内窓固定用操作部品３６を、前記スライド部品の上端が障子外れ止めネジ２３４に当接する固定位置に移動すると、障子３０を持ち上げることができなくなる。従って、障子３０を取り外すことができないように固定できる。
一方で、内窓固定用操作部品３６を下方に移動して、スライド部品を障子外れ止めネジ２３４の下方に離すと、その離間寸法分は障子３０を持ち上げることができるようになる。従って、障子３０を取り外すことができる。
さらに、障子３０の四隅部分には、合成樹脂製のコーナーカバー３８が取り付けられている。
【００４０】
障子３０に装着された気密材４０（ＡＴ材、エアータイト材、シール材）は、前述したように、上框側気密材４１、下框側気密材４２、縦框側気密材４３を備えている。
縦框側気密材４３は、縦框３３に沿って縦方向に配置されている。同様に、上框側気密材４１は上框３１に沿って、下框側気密材４２は下框３２に沿って、それぞれ横方向に配置されている。
各気密材４１〜４３は、同一断面形状の合成樹脂製の成形品で構成されている。合成樹脂の材料は熱可塑性エラストマー等、適宜選択できるが、例えば、ＴＰＯ（サーモポリオレフィン）、ＥＰＤＭ（エチレンプロピレンジエン三元共重合体）、ＰＶＣ（ポリ塩化ビニル）などが利用できる。
各気密材４１〜４３は、図４に示すように、上框３１、下框３２、縦框３３の係合溝３１１Ａ、３２１Ａ、３３１Ａに装着される基部４１０と、基部４１０から室外側に延出して形成された当接片部４１７と、当接片部４１７の先端から基部４１０側（室内側）に延出しためくれ防止片部４１８とを有して構成されている。当接片部４１７およびめくれ防止片部４１８は、全体として基部４１０から室外側に延出した延出片部４１６を構成している。
本実施形態では、基部４１０および延出片部４１６は、基部４１０が延出片部４１６よりも剛性の高い樹脂で成形された二色成形品である。従って、延出片部４１６は、基部４１０よりも高い弾性を有して構成されている。なお、基部４１０および延出片部４１６は、前述した二色成形品に限られず、基部４１０と延出片部４１６とが同じ弾性を有した一色成形品（樹脂成形品）であってもよい。
【００４１】
基部４１０は、本体部４１１と、係合片部４１２，４１３と、支持片部４１４と、突出部４１５とを有して構成されている。また、本体部４１１と係合片部４１２と支持片部４１４とによって凹部４１０Ａが形成されており、本体部４１１と係合片部４１３と支持片部４１４とによって凹部４１０Ｂが形成されている。凹部４１０Ａ，４１０Ｂは、溝形成部３１１Ｂ，３１１Ｃの先端が配置可能に構成されている。
【００４２】
係合片部４１２は、本体部４１１の断面幅方向（各框３１，３２，３３の見付け方向）の一方側に突出して形成されている。係合片部４１３は、本体部４１１の断面幅方向の他方側、つまり係合片部４１２とは反対側に突出して形成されている。
支持片部４１４は、本体部４１１の断面幅方向に突出して形成されている。このため、支持片部４１４は、係合片部４１２および係合片部４１３と略平行に配置されている。
突出部４１５は、支持片部４１４の室外側面から室外側に突出して形成されている。突出部４１５の突出高さ寸法は、後述する延出片部４１６の突出片部４１７Ａの突出高さ寸法と同じ寸法である。
【００４３】
当接片部４１７は、支持片部４１４の断面幅方向の一端から連続して形成され、支持片部４１４から室外側に向かって直線状に延びた突出片部４１７Ａと、突出片部４１７Ａの室外側の先端に連続して形成され、この先端からさらに室外側に向かって直線状に延出し、かつ突出片部４１７Ａとの連続部分から室外側に向かうにつれて支持片部４１４の一端側から他端側に斜めに傾斜した傾斜片部４１７Ｂとを有して構成されている。
傾斜片部４１７Ｂの先端は、気密材４０の構成部分のうち最も室外側に位置する室外側頂部４１７Ｃを構成している。本実施形態では、室外側頂部４１７Ｃが、障子３０を傾けて窓枠２０に吊り込む際に上枠室外片部２１１に最初に当接する当接部分である。
【００４４】
突出片部４１７Ａと傾斜片部４１７Ｂとの連続部分の内面には脆弱部としての凹状溝４１７Ｄが形成されており、突出片部４１７Ａと傾斜片部４１７Ｂとの連続部分の外面には補強部としての凸状部４１７Ｅが形成されている。
このように、当接片部４１７が凹状溝４１７Ｄおよび凸状部４１７Ｅを有するため、当接片部４１７は、室外側に容易に変位しにくく、窓枠２０に当接した際に基部４１０側に容易に変位しやすい構成となっている。
【００４５】
めくれ防止片部４１８は、室外側頂部４１７Ｃから室内側に向かって直線状に延出し、かつ室外側頂部４１７Ｃとの連続部分から室内側に向かうにつれて支持片部４１４の一端側から他端側に斜めに傾斜して形成されている。めくれ防止片部４１８の室外側端部は、室外側頂部４１７Ｃに連続している。めくれ防止片部４１８の先端４１８Ａ（基部側先端）は、自由端として形成されている。めくれ防止片部４１８の厚みは、傾斜片部４１７Ｂの厚みと同じであり、めくれ防止片部４１８の長さは、傾斜片部４１７Ｂの長さよりも短い。めくれ防止片部４１８は、窓枠２０に当接した際に傾斜片部４１７Ｂが室外側にめくられるのを抑制できる程度の長さを有していればよく、例えば傾斜片部４１７Ｂの厚さ以上の長さを有していてもよい。
【００４６】
ここで、上框側気密材４１について説明する。上框側気密材４１のめくれ防止片部４１８は、当接片部４１７よりも障子３０の窓枠２０への差し込み側（上方側）に位置している。
上框側気密材４１の傾斜片部４１７Ｂおよびめくれ防止片部４１８の設計上の各傾斜角度は、次のように設定される。
障子３０を窓枠２０に対して傾けてケンドン式に吊り込む場合であって、上框３１の差し込み片部３１４を上枠室外片部２１１と上枠室内片部２１３との間の差し込み空間２１４に差し込む際における上框室外片部３１１の上枠室外片部２１１に対する最大傾斜角度（最大差し込み角度）をθ１（図６参照）とする。ここで、最大傾斜角度θ１とは、上框３１の差し込み片部３１４を差し込み空間２１４に差し込み、かつ上框側気密材４１の室外側頂部４１７Ｃが上枠室外片部２１１に当接した際に最大限傾斜可能な角度を意味する。なお、ケンドン式に吊り込む際の差し込み角度は最大傾斜角度θ１以下とされ、通常は５〜２０°程度とされる。
この場合、傾斜片部４１７Ｂの支持片部４１４に対する傾斜角度θ２（図４参照）は、０°よりも大きい角度であって９０°からθ１を差し引いた角度以下の範囲内（０°＜θ２≦９０°−θ１）に設定される。
また、めくれ防止片部４１８の傾斜片部４１７Ｂに対する傾斜角度θ３（図４参照）は、９０°以上であって１８０°からθ１およびθ２を差し引いた角度よりも小さい範囲内（９０°≦θ３＜１８０°−（θ１＋θ２））に設定される。
なお、傾斜角度θ２は、支持片部４１４に沿って延びる線と傾斜片部４１７Ｂの両端を結ぶ線とが交わる角度である。また、傾斜角度θ３は、傾斜片部４１７Ｂの両端を結ぶ線とめくれ防止片部４１８の両端を結ぶ線とが交わる角度である。
【００４７】
このように上框側気密材４１の傾斜片部４１７Ｂ、めくれ防止片部４１８の設計上の傾斜角度がそれぞれ設定された場合、障子３０を窓枠２０に対して傾けて吊り込む際に当接片部４１７の室外側頂部４１７Ｃが上枠室外片部２１１に当接した状態では、めくれ防止片部４１８の上枠室外片部２１１に対する角度α（図６参照）は最も小さい角度となるが、０°よりも大きい。このため、めくれ防止片部４１８は、当接片部４１７がめくられるように弾性変形しない限り、上枠室外片部２１１から離間した状態を維持する。
【００４８】
このような上框側気密材４１は、図５に示すように障子３０が窓枠２０に固定された場合に上枠室外片部２１１に圧潰されて密着状態となる。具体的には、傾斜片部４１７Ｂが上枠室外片部２１１に圧接して弾性的に折り曲げられるとともに、傾斜片部４１７Ｂの基部側内面が突出部４１５に当接支持された状態となる。なお、吊り込み後半では障子３０は窓枠２０に対し下降されるため、本体部４１１は、図５に示すように溝形成部３１１Ｂの先端に当接し、かつ溝形成部３１１Ｃの先端から離間した状態となる。
【００４９】
下框側気密材４２は、図２に示すように、上框側気密材４１と同じ向きとされて下框３２の係合溝３２１Ａに係合されている。このように下框側気密材４２が上框側気密材４１と上下同じ向きとされている場合、下框３２を下枠２２に落とし込む際には、下框側気密材４２は下枠２２に対し、当接片部４１７側から下降するため、この当接片部４１７が下枠室外片部２２１に引きずられてめくられるように変形することがない。なお、上框側気密材４１も当接片部４１７側から下降するため、当接片部４１７が上枠室外片部２１１に引きずられてめくられるように変形することがない。
左右の縦框側気密材４３は、図３に示すように、互いに左右逆向きとされて左右の縦框３３の係合溝３３１Ａにそれぞれ係合されている。縦框側気密材４３のめくれ防止片部４１８は、それぞれ、当接片部４１７よりも横方向外側に位置している。
【００５０】
［内窓の施工手順］
以下、本実施形態に係る内窓１０の施工において、障子３０を窓枠２０に取り付ける手順について説明する。
先ず、障子３０の各上框３１、下框３２、縦框３３の長さに合わせて、各気密材４１〜４３の長さ寸法を設定し、これらの気密材４１〜４３の係合片部４１２，４１３を各框３１〜３３の係合溝３１１Ａ，３２１Ａ，３３１Ａに係合する。
【００５１】
次に、障子３０を窓枠２０に対しケンドン式に吊り込む。この吊り込みは、先ず障子３０を持ち上げて上框３１を上枠２１に差し込み（障子３０の差し込み）、次に障子３０を傾動させて窓枠２０に沿って配置する(障子３０の傾動)。この際、前述のとおり、障子外れ止めネジ２３４が縦框延出片部３３４および延出部３３４１の溝を挿通し、縦框３３内部に配置される。
そして、障子３０の下框３２を窓枠２０の下枠２２内に落とし込む（障子３０の落とし込み）と、延出部３３４１が障子外れ止めネジ２３４の室外側に配置され、障子３０が窓枠２０内に固定される。
以下、障子３０の差し込み、障子３０の傾動、障子３０の落とし込みの具体的手順を分説する。
【００５２】
上框３１の上枠２１への差し込みは、具体的には次の通りに行う。先ず、障子３０を窓枠２０に対し室内側に配置し、この障子３０を窓枠２０に対して５〜２０°程度傾斜させる。このとき、上框側気密材４１の支持片部４１４の上枠室外片部２１１に対する差し込み角度も５〜２０°程度となる。
【００５３】
次に、障子３０を斜め上方向に上昇し、差し込み片部３１４を上枠室外片部２１１と上枠室内片部２１３との間に差し込んで差し込み空間２１４に配置する。この際、図６に示すように、上枠室内片部２１３は差し込み片部３１４と上框室内片部３１３との間に位置し、上框側気密材４１の室外側頂部４１７Ｃは上枠室外片部２１１に当接する。
このように室外側頂部４１７Ｃが上枠室外片部２１１に当接したときの傾斜片部４１７Ｂの上枠室外片部２１１に対する傾斜角度θ４（図６参照）は９０°よりも大きな鈍角となることがない。これは、傾斜片部４１７Ｂの傾斜角度θ２が前述した通りに設定されているためである。また、このときのめくれ防止片部４１８の上枠室外片部２１１に対する角度αは０°よりも大きいため、めくれ防止片部４１８の先端が上枠室外片部２１１から離間している。
【００５４】
障子３０の窓枠２０に対する傾動は、具体的には次の通りに行う。障子３０を窓枠２０への接近方向Ｒに傾動しつつさらに上昇し、障子３０を窓枠２０と平行状態にする。この際、室外側頂部４１７Ｃは、上枠室外片部２１１に対して接近しながら上昇するため、相対的に上枠室外片部２１１に下方に引きずられることとなる。これに起因して、傾斜片部４１７Ｂは室外側であって下方に折り曲げられようとする。
ここで、図７に示す比較例のように、上框側気密材４１がめくれ防止片部４１８を有して構成されていない場合、傾斜片部４１７Ｂが下方に折り曲げられ、この傾斜片部４１７Ｂの基部側内面が上枠室外片部２１１に当接し、傾斜片部４１７Ｂがめくれてしまうおそれがある。
これに対し、本実施形態では、めくれ防止片部４１８を有して構成されているため、傾斜片部４１７Ｂが下方に若干折り曲げられても、めくれ防止片部４１８の室外側外面が上枠室外片部２１１に当接することで、傾斜片部４１７Ｂの基部側内面が上枠室外片部２１１に当接することをなくし、傾斜片部４１７Ｂが上枠室外片部２１１に下方に引きずられてめくれてしまうことを抑制している。
【００５５】
障子３０が窓枠２０に対する傾動によって傾斜片部４１７Ｂは前述したようにめくられることなく、上枠室外片部２１１に接近して基部側に弾性的に折り曲げられつつ、当該傾斜片部４１７Ｂの室外側外面の上枠室外片部２１１に対する当接領域が拡大する。
障子３０が窓枠２０に対し平行状態とされると、上框室外片部３１１は上枠室外片部２１１に対向配置され、上框側気密材４１は前述したように上枠室外片部２１１に圧潰された密着状態となり、差し込み片部３１４の先端の当接部は上枠室内片部２１３の室外側面に当接する。
【００５６】
また、障子３０が窓枠２０に対し平行状態とされると、下框側気密材４２および縦框側気密材４３は、上框側気密材４１と同様に下枠室外片部２２１、縦枠室外片部２３１にそれぞれ圧潰されて密着状態となる。そして、下框３２の差し込み片部３２４の先端の当接部は下枠室内片部２２３の室外側面に当接し、縦框３３の縦框室内片部３３３の当接部は、縦枠２３の縦枠室内片部２３３の室内側面にそれぞれ当接する。
【００５７】
下框３２の下枠２２への落とし込みは次の通りに行う。前述したように障子３０を窓枠２０に対し平行状態としたことで、下框側気密材４２は下枠室外片部２２１に圧潰され、下框３２の差し込み片部３２４は下枠室内片部２２３よりも室外側に位置した状態となる。この状態で、障子３０を下降し、各気密材４０を窓枠２０に対して滑らせながら下框３２の差し込み片部３２４を下枠室外片部２２１と下枠室内片部２２３との間に落とし込んで落とし込み空間２２４に配置する。この際、下框３２の差し込み片部３２４の当接部は下枠室内片部２２３の室外側面に当接する。
これにより、上框３１の差し込み片部３１４および下框３２の差し込み片部３２４が上枠室内片部２１３および下枠室内片部２２３の室内側面に当接するとともに、縦框３３の縦框室内片部３３３が縦枠２３の縦枠室内片部２３３の室外側面に当接し、障子３０は窓枠２０に対し固定される。また、気密材４０は、めくれることなく窓枠２０に圧潰されて密着するため、所定の気密性能、遮音性能、水密性能などを発揮可能な状態となる。
このようにして、障子３０を窓枠２０にケンドン式に吊り込んで取り付ける。
【００５８】
なお、障子３０を窓枠２０から取り外す手順は、前述した取り付け手順とは逆順である。つまり、障子３０を持ち上げて下框３２を室内側に移動させ、さらに障子３０全体を窓枠２０から抜き出すことで障子３０を取り外せばよい。
【００５９】
［本実施形態の効果］
（１）例えば、めくれ防止片部４１８を備えずに当接片部４１７の先端を自由端とした比較例では、吊り込みにおいて障子３０を窓枠２０に対し傾動させながら上昇させる際に当接片部４１７の先端が上枠室外片部２１１に当接して引きずられ、当接片部４１７がめくれてしまうおそれがある。このような比較例に対し、本実施形態では、当接片部４１７の先端にめくれ防止片部４１８を設けたため、障子３０を窓枠２０に吊り込む際において当接片部４１７の上枠室外片部２１１への当接部分が上枠室外片部２１１に引きずられてめくられようと変形しても、めくれ防止片部４１８が上枠室外片部２１１に当接して当接片部４１７のめくれを防止できる。このため、上框側気密材４１はめくれることなく所定通りに設置でき、所定の気密性能、遮音性能、水密性能を発揮できる。
また、各気密材４０のめくれ防止片部４１８の先端４１８Ａが自由端であるため、各気密材４０の延出片部４１６が窓枠２０に当接して圧潰される際の反発力を小さくでき、障子３０の窓枠２０への吊り込み作業を大きな力を必要とせずに容易に行うことができ、施業性の向上を図れる。さらに、めくれ防止片部４１８の先端４１８Ａを自由端とすることで、例えば基部と環状延出片部とが一体形成された気密材（図示せず）などに比べ、容易に製造でき、製造コストの削減を図ることができる。
（２）障子３０を窓枠２０に対して傾けて吊り込み、当接片部４１７の先端を上枠室外片部２１１に当接させた状態としても、めくれ防止片部４１８の上枠室外片部２１１に対する角度αが０°よりも大きいので、めくれ防止片部４１８の先端が上枠室外片部２１１と離間した状態を維持できる。これにより、めくれ防止片部４１８の先端が上枠室外片部２１１に引きずられ、めくれ防止片部４１８自体がめくれるように変形することがない。また、吊り込みにおいて当接片部４１７の上枠室外片部２１１への当接部分が当該上枠室外片部２１１に引きずられてめくられようと弾性変形したときだけ、めくれ防止片部４１８が上枠室外片部２１１に当接して当接片部４１７のめくれを防止できる。
【００６０】
（３）傾斜片部４１７Ｂの支持片部４１４に対する傾斜角度θ２が０°＜θ２≦９０°−θ１に設定され、めくれ防止片部４１８の傾斜片部４１７Ｂに対する傾斜角度θ３が９０°≦θ３＜１８０°−（θ１＋θ２）に設定されることで、障子３０を窓枠２０に差し込む際に当該障子３０を最大傾斜角度θ１だけ傾斜させても、前述した傾斜角度θ４が鈍角とはならず、また、めくれ防止片部４１８の先端４１８Ａが室外側頂部４１７Ｃよりも室外側に突出して位置することがない。この結果として、めくれ防止片部４１８の上枠室外片部２１１に対する前述した角度αが０°より大きい状態が維持されることなり、めくれ防止片部４１８の先端４１８Ａは上枠室外片部２１１から離間した状態となる。従って、前述同様に、めくれ防止片部４１８の先端４１８Ａが上枠室外片部２１１に引きずられ、めくれ防止片部４１８自体がめくれるように変形することがない。また、吊り込みにおいて当接片部４１７の上枠室外片部２１１の当接部分が上枠室外片部２１１に引きずられてめくられようと弾性変形したときだけ、めくれ防止片部４１８が上枠室外片部２１１に当接して当接片部４１７のめくれを防止できる。
（４）めくれ防止片部４１８の先端４１８Ａを自由端として気密材４０の反発力を小さくした場合であっても、障子３０が上枠室外片部２１１に接近することで当接片部４１７が大きく曲げられた状態では、突出部４１５で当接片部４１７の基部側内面を支持して気密材４０の反発力を大きくできる。従って、障子３０を窓枠２０に吊り込む際の気密材４０の反発力を抑えて作業性を向上できるとともに、吊り込み後には、気密材４０の反発力を大きくして所定の気密性能、遮音性能、水密性能を維持できる。
【００６１】
［変形例］
なお、本発明は以上の実施形態で説明した構成のものに限定されず、本発明の目的を達成できる範囲での変形例は、本発明に含まれる。
例えば、前記実施形態では、当接片部４１７およびめくれ防止片部４１８は直線状に延び、これらの室外側外面は平坦面でそれぞれ形成されているが、これに限定されず、例えば、当接片部４１７およびめくれ防止片部４１８の少なくともいずれか一方は円弧状に湾曲して形成されていてもよい。この場合、当接片部４１７およびめくれ防止片部４１８の少なくともいずれか一方の室外側外面は断面凸面形状に形成される。
【００６２】
当接片部４１７が前述したように円弧状に形成される場合、気密材４０が窓枠２０への接近によって圧潰されていない状態では、当接片部４１７のうち最も室外側に位置する部分が窓枠２０に点接触するだけであるため、小さな当接領域となる。これにより、吊り込み時に当接片部４１７が窓枠２０に引きずられ難い状態となり、当接片部４１７のめくれをより確実に防止できる。また、当接片部４１７を円弧状に形成することで、反り返り変形しにくくめくれを生じ難い構造にできる。
【００６３】
また、めくれ防止片部４１８が円弧状に形成される場合、障子３０を窓枠２０に吊り込む際に当接片部４１７が窓枠２０に引きずられてめくられようと弾性変形しても、めくれ防止片部４１８は窓枠２０に点接触するだけであり、めくれ防止片部４１８の窓枠２０に対する当接領域が小さいので、めくれ防止片部４１８を窓枠２０に対して滑りやすくでき、当接片部４１７のめくれをより確実に防止できる。
【００６４】
図８において、室外側外面が断面凸形状に湾曲して円弧状に形成された当接片部５１７およびめくれ防止片部５１８を有した気密材４０Ａを示す。
気密材４０Ａは、延出片部４１６および突出部４１５を除き、気密材４０と同様に構成されている。
気密材４０Ａは、突出部４１５を有しておらず、その延出片部４１６は、当接片部４１７およびめくれ防止片部４１８に代えて、前述した当接片部５１７およびめくれ防止片部５１８を有して構成されている。
気密材４０Ａの延出片部４１６は断面半円弧状に形成されている。当接片部５１７の先端は、障子３０を傾けて窓枠２０に吊り込む際に上枠室外片部２１１に最初に当接する当接部分として設定される。
また、めくれ防止片部５１８は、当接片部５１７の先端から自由端である先端５１８Ａ（基部側先端）までの部分によって形成されている。
このように構成された気密材４０Ａによれば、凸面状に湾曲形成された室外側外面をそれぞれ有した当接片部５１７、めくれ防止片部５１８を備えることによって、延出片部４１６の室外側外面のどの部分が窓枠２０に当接した状態でも、点接触を維持でき、めくれ防止片部５１８の上枠室外片部２１１に対する角度αは０°よりも大きくなる。従って、延出片部４１６のめくれを抑制できる。
【００６５】
前記実施形態では、めくれ防止片部４１８の先端４１８Ａは基部４１０の支持片部４１４の室外側面の室外側に位置しているが、これに限定されず、例えば、図８に示すめくれ防止片部５１８の先端５１８Ａと同様に、支持片部４１４の周囲外側に位置していてもよい。
【００６６】
前記実施形態では、傾斜片部４１７Ｂの支持片部４１４に対する傾斜角度θ２は、０°＜θ２≦９０°−θ１の範囲内に設定されているが、これに限定されず、例えば、０°＜θ２＜９０°−θ１の範囲内に設定されていてもよい。
【００６７】
前記実施形態では、めくれ防止片部４１８の傾斜片部４１７Ｂに対する傾斜角度θ３は、９０°≦θ３＜１８０°−（θ１＋θ２）の範囲内に設定されているが、これに限定されず、例えば、θ３≦１８０°−（θ１＋θ２）であってもよい。また、９０°＜θ３であってもよく、逆に、０°＜θ３＜９０°であってもよい。
【００６８】
前記実施形態では、障子３０の上部をその下部よりも先に窓枠２０に吊り込む場合に対応して各気密材４０を設けているが、これに限定されない。例えば、障子３０の下部をその上部よりも先に窓枠２０に吊り込む場合には、上框側気密材４１、下框側気密材４２の上下向きを逆向きに配置し、めくれ防止片部４１８を当接片部４１７よりも下方に位置させてもよく、このように配置することで、めくれ防止片部４１８によって当接片部４１７のめくれを防止できる。
【００６９】
また、障子３０の左部をその右部よりも先に窓枠２０に吊り込む場合には、右側の縦框側気密材４３を左右逆向きに配置して左側の縦框側気密材４３と同じ向きとし、左右の縦框側気密材４３のめくれ防止片部４１８を当接片部４１７よりも左側に位置させる。このように配置することで、めくれ防止片部４１８によって当接片部４１７のめくれを防止できる。
逆に、障子３０の右部をその左部よりも先に窓枠２０に吊り込む場合には、左側の縦框側気密材４３を左右逆向きに配置して右側の縦框側気密材４３と同じ向きとし、左右の縦框側気密材４３のめくれ防止片部４１８を当接片部４１７よりも右側に位置させる。このように配置することで、めくれ防止片部４１８によって当接片部４１７のめくれを防止できる。
【００７０】
前記実施形態では、内窓１０を固定窓として説明したが、これに限定されず、例えば、引き違い窓や、水平方向に配置されるテラス窓やカーポート窓などの各種の建具であってもよい。
【符号の説明】
【００７１】
１０…内窓（建具）、２０…窓枠（建具枠）、２１…上枠、２２…下枠、２３…縦枠、２５…ネジ、３０…障子、３１…上框、３２…下框、３３…縦框、３５…ガラスパネル、３６…内窓固定用操作部品、３８…コーナーカバー、４０，４０Ａ…気密材、４１…上框側気密材、４２…下框側気密材、４３…縦框側気密材、２１１…上枠室外片部（枠材片部）、２１２…上枠見込み片部、２１２Ａ，２２２Ａ，２３２Ａ…シール材、２１３…上枠室内片部、２１４…差し込み空間、２２１…下枠室外片部、２２２…下枠見込み片部、２２３…下枠室内片部、２２４…落とし込み空間、２３１…縦枠室外片部、２３２…縦枠見込み片部、２３３…縦枠室内片部、２３４…障子外れ止めネジ、３１１…上框室外片部、３１１Ａ，３２１Ａ，３３１Ａ…係合溝、３１１Ｂ，３１１Ｃ…溝形成部、３１２…上框見込み片部、３１３…上框室内片部、３１４，３２４…差し込み片部、３１５，３２５，３３５…ガスケット、３２１…下框室外片部、３２２…下框見込み片部、３２３…下框室内片部、３３１…縦框室外片部、３３２…縦框見込み片部、３３３…縦框室内片部、３３４…縦框延出片部、４１０…基部、４１０Ａ，４１０Ｂ…凹部、４１１…本体部、４１２，４１３…係合片部、４１４…支持片部、４１５…突出部、４１６…延出片部、４１７，５１７…当接片部、４１７Ａ…突出片部、４１７Ｂ…傾斜片部、４１７Ｃ…室外側頂部、４１７Ｄ…凹状溝、４１７Ｅ…凹状部、４１８，５１８…めくれ防止片部、４１８Ａ，５１８Ａ…先端、３３３１，３３４１…延出部、θ１〜θ４…傾斜角度。
【図１】
2016069820.tif 000003
【図２】
2016069820.tif 000004
【図３】
2016069820.tif 000005
【図４】
2016069820.tif 000006
【図５】
2016069820.tif 000007
【図６】
2016069820.tif 000008
【図７】
2016069820.tif 000009
【図８】
2016069820.tif 000010